(57)【要約】      （修正有）【課題】持ち運びに便利な芳香用アクセサリでありながら、誰でも芳香液を確実に、芳香液容器（ドロッパー）から漏れることなく必要十分量注入することができる芳香用アクセサリを提供する。【解決手段】芳香用アクセサリ１であって、芳香口となる第１の開口５を有する第１部材２と、第１部材２に着脱可能に連結される第２部材３と、第２部材３に収納される芳香液の吸着部材４とを備えており、吸着部材４の直径が、芳香液容器の注入用孔の直径と同径以下であることからなる。【選択図】図１
0003201713.tif 000002
【実用新案登録請求の範囲】
【請求項１】
芳香口となる第１の開口を有する第１部材と、第１部材に着脱可能に連結される第２部材と、
第２部材に収納される芳香液の吸着部材とを備えており、
吸着部材の直径が、芳香液容器の注入用孔の直径と同径以下であることを特徴とする芳香用アクセサリ。
【請求項２】
芳香用アクセサリが円筒状をしていることを特徴とする請求項１に記載の芳香用アクセサリ。
【請求項３】
第２部材の内部空洞直径が、芳香液容器の注入用孔と同径であることを特徴とする請求項２に記載の芳香用アクセサリ。
【請求項４】
吸着部材が棒状であり、断面直径が1.8mm以上 3.0mm以下であることを特徴とする請求項２又は３に記載の芳香用アクセサリ。
【請求項５】
吸着部材の断面直径が2.7mm以上 3.0mm以下であることを特徴とする請求項４に記載の芳香用アクセサリ。
【請求項６】
吸着部材が、第２部材以上の長さを有することを特徴とする請求項１から５のいずれか１項に記載の芳香用アクセサリ。
【請求項７】
第２部材の断面直径が、3.5mm以上7mm以下であることを特徴とする請求項２から６のいずれか１項に記載の芳香用アクセサリ。
【請求項８】
第１部材が、紐通しが可能な一対の第２の開口を有していることを特徴とする請求項１から７のいずれか１項に記載の芳香用アクセサリ。
【請求項９】
第１部材と第２部材が、ねじ口構造を備えていることを特徴とする請求項２から８のいずれか１項に記載の芳香用アクセサリ。
【請求項１０】
棒状の芳香液の吸着部材と、吸着部材を収納可能な筒状部材とを備え、円筒状の吸着部材の直径が芳香用容器の注入用孔と同径又はその９割以上であり、吸着部材から発散した芳香液を外部へ放出するための開口を有することを特徴とする芳香用アクセサリ。
【請求項１１】
芳香用容器の注入用孔と接する筒状部材の空洞直径が芳香用容器の注入用孔と同径であることを特徴とする請求項１０に記載の芳香用アクセサリ。
【考案の詳細な説明】
【技術分野】
【０００１】
本考案は芳香用アクセサリに関するものである。より具体的には、芳香液の注入を便利かつ容易に出来る芳香用アクセサリの構造に関する。
【背景技術】
【０００２】
芳香液には、嫌な香りを消す消臭を目的とするものと、香り自体を楽しみ、また香りによりリラックスするなど、その効果を得ることを目的とするものがある。本考案に係る芳香用アクセサリは主として後者の芳香液に関するものであり、当該芳香液の例としては、香水やアロマに使用されるエッセンシャルオイルやアロマオイルなどが挙げられる。エッセンシャルオイルは精油の意味であって、植物の花、葉、果皮、樹皮、根、種子、樹脂などから抽出した天然の素材であり、アロマオイルについては精油をアルコールや合成香料などで希釈したものと解釈されるのが一般的である。
【０００３】
香りを楽しむ芳香液の使用方法としては、香水であれば通常体の一部や衣服などに直接吹き付けされることが多い。一方、香りから効果を得る芳香液の使用方法としては、エッセンシャルオイルやアロマオイルであれば多様な使用形態があるが、一例として、受け皿に数滴垂らした上でアロマランプなどを使用して利用される。また、近年エッセンシャルオイルやアロマオイルについては認知症予防の効果が知られるようになり、高齢者にも使用されるようになってきた。
【０００４】
しかし、これらの芳香液については、香水であれば、体の一部や衣服などに吹き付けた場合、短時間で蒸発してしまい、長時間香りを保たせることは出来ないという問題点があった。また、エッセンシャルオイルやアロマオイルであれば、持ち運んで使用したいという需要がありながらも受け皿や器具を必要とすることから不便であるという問題点があった。そこで、芳香を長時間楽しみつつ持ち運び可能な、いくつかの芳香用アクセサリが市販されている。
【０００５】
このような公知の芳香用アクセサリは、市販の芳香液容器から細い筺体内に芳香液を注ぐことが必要な形式となっている。しかしながら、このような形式では、注入の困難性が高い。すなわち、手の震えなどにより、確実に内部に注入することが難しく漏れやすい。特に芳香の効果が期待される高齢者にとって困難性が高い。また、内部が暗く見えにくいために適量を入れることが難しい。いずれにしても、確実に必要十分量を入れることに困難性が伴う。しかし、筺体を深く大きくしてしまっては、アクセサリの外観を損なうなど、実用性を損なう場合がある。
【考案の概要】
【考案が解決しようとする課題】
【０００６】
そこで、本考案の目的は、持ち運びに便利な芳香用アクセサリでありながら、誰でも芳香液を確実に、芳香液容器（ドロッパー）から漏れることなく必要十分量注入することができる芳香用アクセサリを提供することを目的とする。
【課題を解決するための手段】
【０００７】
前記目的を達成するため、本考案の構成は、芳香用アクセサリであって、芳香口となる第１の開口を有する第１部材と、第１部材に着脱可能に連結される第２部材と、第２部材に収納される芳香液の吸着部材とを備えており、吸着部材の直径が、芳香液容器の注入用孔の直径と同径以下であることからなる。
【０００８】
また、芳香用アクセサリが円筒状をしていることが好適である。
また、第２部材の内部空洞直径が、芳香液容器の注入用孔と同径であること好適である。
吸着部材が棒状であり、断面直径が1.8mm以上3.0mm以下、さらには2.7mm以上3.0mm以下であることが好適である。
また、吸着部材が、第２部材以上の長さを有することが好適である。
また、第２部材の断面直径が、3.5mm以上7mm以下であることが好適である。
また、第１部材が、紐通しが可能な一対の第２の開口を有していることが好適である。
また、第１部材と第２部材が、ねじ口構造を備えていることが好適である。
【０００９】
さらに、本考案の芳香用アクセサリは、棒状の芳香液の吸着部材を収納可能な部材の空洞直径が芳香用容器の注入用孔と同径であり、円筒状の吸着部材の直径が芳香用容器の注入用孔と同径又はその９割以上であり、吸着部材から発散した芳香液を外部へ放出するための開口を有することからなる。
【００１０】
本考案における芳香用アクセサリは、誰でも芳香液を確実に、芳香液容器から漏れることなく必要十分量注入することができる構造、すなわち、第２部材に収納される芳香液の吸着部材を芳香液容器に差し込み、吸着部材に直接吸わせることを可能にしたものである。使用する芳香液としては、香りを楽しみ、香りの効果を得ることを目的とするものであれば特に限定されないが、例えば香水、エッセンシャルオイル、アロマオイルなどが好適である。なお、香りの効果の例として、気分を高揚、又は落ち着かせることが挙げられる。最近では特にエッセンシャルオイルなどに認知症予防の効果が発見されている。
【００１１】
本考案の芳香用アクセサリは、芳香口となる第１の開口を有する第１部材と、第１部材に着脱可能に連結される第２部材とを有している。第１部材には、芳香を外部に排出すべく、第１の開口を有している。したがって、第１の開口は複数設けられても良く、形状も特に限定されない。なお、芳香用アクセサリの素材は、アルミなどの金属素材や、プラスチックなどの樹脂系素材などが好ましいが、特にこれらに限定されるものではない。
【００１２】
第２部材は、第１部材と着脱可能に連結にされるよう構成される。着脱方式は、完全に分離できる形式でも、ヒンジ構造などで一部連結構造を残した形式などでも、本考案の目的を達する限り特に限定されない。また、第２部材に収納される芳香液の吸着部材をさらに備える。この吸着部材は、芳香液を吸着（吸水・吸油）・発散可能な素材であれば、繊維系素材や多孔性物質など、適宜使用可能であって、特に限定されるものではない。一般的に、単位容積当たりの繊維表面積を増やすことで、接触面積が増え表面張力が大きくなり吸着性は向上する。速乾性の高い合成繊維を使用すれば、発散が早くなる。吸着部材は、芳香液容器の注入用孔に収納可能な形状であり、好ましくは棒状、特に好ましくは円筒状をしている。そして、第２部材の内部空洞直径が、芳香液容器の注入用孔と同径であることが好適である。さらに、吸着部材の直径が、芳香液容器の注入用孔の直径と同径かそれ以下であることが好適である。この趣旨は、吸着部材を注入用孔に直接挿入可能であること、及び外へ液が漏れないことを意味する。したがって、注入用孔と完全に同じ直径ではなくそれより小さくても良い。外部に漏れずに充填させるという本考案の目的・効果を考慮すれば、吸着部材の直径は注入用孔直径の１割減程度減までが好適である。芳香液容器の注入用孔の直径以上に太ければ注入用孔に差し込むことが出来ず、あまり細いと十分な量を吸うことができず、また外へ漏れる可能性が高くなるからである。現在最も広範に市販されている芳香液容器は、中蓋を有し、筒状の注入用孔を有し、その直径が3mmであり、底部に点状の小さな孔が設けられ、そこから一滴ずつ滴下できるよう構成されている。したがって、吸着部材の断面直径が1.8mm以上3.0mm以下であることが好適である。これ以上細いと、吸着量が少なくなり不適である。なお、注入用孔の直径が2mmのものも市販されているので、この場合は上記範囲のうち1.8mm-2mmであることが好適である。また、直径が3mmのものに対しては、2.7mm以上（3mm以下）あれば、十分な吸着量を維持しつつ利用できるため好適である。さらに、第２部材の断面直径、3.5mm以上7mm以下であれば、小型のアクセサリとしてのデザインを維持しつつ、第２部材を芳香液容器に差し込み天地逆転させて芳香液を充填させやすい。
【００１３】
これら特徴は、棒状の芳香液の吸着部材と、吸着部材を収納可能な筒状部材とを備え、円筒状の吸着部材の直径が芳香用容器の注入用孔と同径又はその９割以上であり、吸着部材から発散した芳香液を外部へ放出するための開口を有する構成として把握することが可能である。本考案の芳香用アクセサリは、上下２つの部材からなる場合のみでなく、他の構成等を排除するものではないからである。
【００１４】
吸着部材は、全長が第２部材以上の長さを有することが好適である。芳香用の開口は第１部材に設けられることから、第１部材の開口近くまで吸着部材が位置することで、芳香の発散を長時間良好に保つことが可能である。
【００１５】
第１部材には、紐通しが可能な一対の第２の開口を設けることで、アクセサリとしての使用がより容易となる。また、第１部材と第２部材とは、好ましくははねじ口方式により連結され、アクセサリ全体として円筒状であることが、芳香液の充填と使用に好適である。
【００１６】
本考案の芳香用アクセサリは、典型的にはネックレスやペンダントのように首から提げるなどの方法が可能である。キーホルダーやチャームのように鞄等に提げて使う等の方法でも良い。
【考案の効果】
【００１７】
本考案は以上の構成からなるので、芳香液を充填するにあたり、吸着部材を芳香液容器に差し込むだけで、芳香液を漏れずに充填することが出来、その後第１部材と連結するだけでアクセサリとして使用可能である。このため、手のぶれに関係なく充填することが出来、かつ必要十分量の芳香液を充填することが出来る。また、従来に比してアクセサリ全体の小型化を実現することが出来るものである。
【図面の簡単な説明】
【００１８】
【図１】本考案に係る芳香用アクセサリの断面図である。
【図２】本考案に係る芳香用アクセサリの第１部材の断面図である。
【図３】本考案に係る芳香用アクセサリの第２部材の断面図である
【図４】本考案に係る芳香用アクセサリの使用方法を示す図である。
【図５】市販の芳香用容器を示す図である。
【考案を実施するための形態】
【００１９】
以下、図面に従って本考案の実施の一例を説明する。なお、図面に表された芳香用アクセサリは実施の１例を示したものに過ぎず、これに限定されるものではない。
【００２０】
図１は本考案に係る芳香用アクセサリ１の断面図であり、図２は本考案に係る芳香用アクセサリ１の第１部材２の断面図であり、図３は本考案に係る芳香用アクセサリ１の第２部材３の断面図であり、図４は本考案に係る芳香用アクセサリ１の使用方法を示す図であり、図５は市販の芳香用容器９を示す図である。
【００２１】
ここで、芳香用容器９は、最も市場に流通している一般的なものであり、主容器１０と、蓋１１と、中蓋１２からなる。このうち、中蓋１２は、注入用孔１３を有し、この孔の直径は3mmである。従来は、この芳香用容器１０から、芳香用アクセサリに手で持って注ぐことが要求されていたものである。
【００２２】
芳香用アクセサリ１は、アルミ製であり、第１部材２及び第２部材３からなり、第２部材３には吸着部材４が収納されている。本実施例では、芳香用アクセサリ１は全体で45mの全長を有しており、直径は6mmである。
【００２３】
第１部材２の全長は28.5mmであり、内部空洞の直径は4mmである。上部に直径1.5mmの第１の開口５と、直径３ｍｍの一対の第２の開口６を有している。第１の開口５は芳香を外部に排出する役割を有し、第２の開口６には紐７を通すことが出来る。第１部材２は、第２部材３とはねじ口方式で連結可能なねじ構成８を有している。
【００２４】
第２部材３は、全長22.5mmであり、このうち上部6mmは、第１部材２と連結可能なねじ構成８を有している。内部空洞の直径は3mmであり、第２部材の壁厚は1.5mm、底厚は2mmで構成されている。吸着部材４は、直径2.8mm、全長33mmの円筒棒状であり、合成繊維により構成されており、吸水・吸油性能を有するため、芳香液を吸い上げ、発散することが可能である。
【００２５】
使用方法としては、吸着部材４を芳香用容器９の中蓋１２の注入用孔１３に差し込み、そのまま吸わせることが可能である。また、図４に示すように、天地を逆転してより早く吸わせることが可能である。注入用孔１３の底部孔（図示せず）は点にすぎないため、このようにしても、液が外へ漏れることはない。なお、図４では方法を分かり易く示すために吸着部材４が奧まで差し込まれていないが、実際は芳香用容器９の奧まで差し込んで天地逆転させることができる。この吸着方法であれば、手ぶれによる漏れの可能性もなく、確実に必要十分量を充填することが可能であり、アクセサリ全体を細身に構成することが出来る。
【符号の説明】
【００２６】
１      芳香用アクセサリ
２      第１部材
３      第２部材
４      吸着部材
５      第１の開口
６      第２の開口
７      紐
８      ねじ構成
９      芳香用容器
１０    主容器
１１    蓋
１２    中蓋
１３    注入用孔
【図１】
0003201713.tif 000003
【図２】
0003201713.tif 000004
【図３】
0003201713.tif 000005
【図４】
0003201713.tif 000006
【図５】
0003201713.tif 000007